(57)【要約】      （修正有）【課題】表示灯において、所定のシンボルが付された表示パネルの交換を容易とし、表示の変更を低コストで実現する。【解決手段】点灯装置を内蔵する本体ケースと、この本体ケースの前面側を覆う表示ユニット３とを有する表示灯において、表示ユニットの前面をなす透明または半透明の前面パネル２１と、前面パネルに対向配置され、表示ユニットの背面をなす背面パネル２２と、前面パネルと背面パネルとの間に配置され、光源からの光を前面パネル側に導光する導光板２３とを備え、前面パネルと導光板との間に間隙Ｇａを設け、当該間隙に、所定のシンボルが付された表示パネル２４を配置する。【選択図】図２
0003143094.tif 000002
【実用新案登録請求の範囲】
【請求項１】
点灯装置を内蔵する本体部と、この本体部の前面側を覆う表示ユニットとを有する表示灯であって、
前記表示ユニットの前面をなす透明または半透明の前面パネルと、
前記前面パネルに対向配置され、前記表示ユニットの背面をなす背面パネルと、
前記前面パネルと前記背面パネルとの間に配置され、光源からの光を前記前面パネル側に導光する導光板と
を備え、
前記前面パネルと前記導光板との間に間隙が設けられ、当該間隙には、所定のシンボルが付された表示パネルが配置されたことを特徴とする表示灯。
【請求項２】
前記シンボルは、左右一方への誘導方向を示す情報伝達用のシンボルであり、
前記表示パネルの前面および後面には、互いに左右対称の前記情報伝達用のシンボルがそれぞれ付されたことを特徴とする、請求項１に記載の表示灯。
【請求項３】
前記背面パネルと前記導光板との間に間隙が設けられ、当該間隙には、前記導光板側に蓄光層が形成された蓄光パネルが配置されたことを特徴とする、請求項１または請求項２に記載の表示灯。
【考案の詳細な説明】
【技術分野】
【０００１】
本考案は、非常時の誘導や広告等の各種情報を表示する表示灯に関する。
【背景技術】
【０００２】
この種の表示灯として、例えば、前面開口した直方体状の器具本体内に光源を点灯させる点灯装置が設けられ、商用電源の停電状態には非常用電源から点灯装置に給電し光源を点灯させ表示パネルを光らせる誘導灯であって、矩形状の表示パネルと表示パネルの一端縁に沿って配設された枠部とで器具本体の前面開口を覆い、且つ、表示パネルと枠部とを合わせた外周形状が、器具本体において前面開口を囲む部位の外周形状に沿っているものが知られている（特許文献１参照）。
【０００３】
【特許文献１】特開２００１−３５１４１７号公報
【考案の開示】
【考案が解決しようとする課題】
【０００４】
上記特許文献１に記載された従来技術では、誘導灯の本体の前面開口を覆う表面パネルには、非常口の誘導方向を示すために、白地に緑色のシンボルマーク（人や矢印等）が付されている。このような誘導灯では、誘導方向は、誘導灯の設置事情によって異なるため、設置事情に応じて複数種類の表面パネル（例えば、シンボルマークが左右対称に付されたもの）を準備する必要があり、装置コストが嵩むという課題があった。
【０００５】
また、上記従来技術は、蛍光灯の光を表示パネルへ導光する導光板と表示パネルを略密着させる構成を有するため、導光板に光を乱反射させるための凹凸形状が付されている場合、表示パネル側からその凹凸形状が透けて見えて外観が損なわれるという課題もあった。
【０００６】
本考案は、このような従来技術の課題を鑑みて案出されたものであり、その主目的は、所定のシンボルが付された表示パネルの交換を容易とし、表示の変更を低コストで実現可能とする表示灯を提供することにある。
【課題を解決するための手段】
【０００７】
上記課題を解決するためになされた第１の考案は、点灯装置を内蔵する本体部と、この本体部の前面側を覆う表示ユニットとを有する表示灯であって、前記表示ユニットの前面をなす透明または半透明の前面パネルと、前記前面パネルに対向配置され、前記表示ユニットの背面をなす背面パネルと、前記前面パネルと前記背面パネルとの間に配置され、光源からの光を前記前面パネル側に導光する導光板とを備え、前記前面パネルと前記導光板との間に間隙が設けられ、当該間隙には、所定のシンボルが付された表示パネルが配置された構成とする。
【０００８】
上記課題を解決するためになされた第２の考案は、前記シンボルは、左右一方への誘導方向を示す情報伝達用のシンボルであり、前記表示パネルの前面および後面には、互いに左右対称の前記情報伝達用のシンボルがそれぞれ付された構成とすることができる。
【０００９】
上記課題を解決するためになされた第３の考案は、前記背面パネルと前記導光板との間に間隙が設けられ、当該間隙には、前記導光板側に蓄光層が形成された蓄光パネルが配置された構成とすることができる。
【考案の効果】
【００１０】
上記第１の考案によれば、表示パネルの交換が容易となり、表示の変更を低コストで実現することが可能となる。また、導光板に光を乱反射させるための凹凸形状が付されている場合でも、前面側からその凹凸形状が透けて見えて外観が損なわれるという問題も生じない。上記第２の考案によれば、表示パネルを裏返す（例えば、左右反転させる）だけで、左または右への誘導方向を容易に変更することができる。上記第３の考案によれば、簡易な構成により蓄光板を取り付けることができ、また、光源への電力供給が断たれて消灯した際に蓄光層に蓄えた光エネルギを放出して発光するので、シンボルを視認するのに十分な残光を確保することができる。
【考案を実施するための最良の形態】
【００１１】
以下、本考案の実施の形態について図面を参照しながら説明する。
【００１２】
図１は本考案に係る表示灯の分解斜視図であり、図２は光源ユニットの平面図であり、図３は光源ユニットの縦断面図である。
【００１３】
この表示灯１は、略直方体状をなす本体ケース２と、この本体ケースの前面側の開口２ａを覆うように配置された導光板式の表示ユニット３と、この表示ユニット３の上側に配置された光源を内蔵する光源ユニット４とを備えている。
【００１４】
本体ケース２は、周知の点灯装置１１を内蔵する樹脂製の筐体からなり、この点灯装置１１は、通常時に商用電源ライン１２から供給される電力や、停電時に電池１３から供給される電力を利用して光源の点灯を制御する。
【００１５】
表示ユニット３は、その前面をなす前面パネル２１と、前面パネル２１に対向配置され、表示ユニット３の背面をなす背面パネル２２と、前面パネル２１と背面パネル２２との間に配置された導光板２３と、前面パネル２１と導光板２３との間の間隙Ｇａ（図３参照）に配置された表示パネル２４と、導光板２３と背面パネル２２との間の間隙Ｇｂに配置された蓄光板２５とを有する。
【００１６】
前面パネル２１は、表示パネル２４に付されたシンボルを視認可能なように、透明または半透明の樹脂やガラス材料で形成され、図２に示すように、平面視において略コ字状をなす。前面パネル２１の左右後端は、背面パネル２２の左右端と接続され、これにより、導光板２３、表示パネル２４、及び蓄光板２５が収容されるスペースが画成される。図１に示すように、前面パネルの後端には、被係止爪３１が設けられており、この被係止爪３１が本体ケース２に設けられた係止爪３２によって係止されることで、表示ユニット３が本体ケース２に対して固定される。
【００１７】
導光板２３は、その一端縁に配置された光源からの光を、導光板内での全反射によりその他端縁側に導きながら発光面に入射させ、そこで拡散させた光を前方の表示パネル２４または後方の蓄光板２５へ向けて出射するものである。導光板２３は、適宜な厚さの例えばアクリル樹脂製の平板材からなり、図３に示す上端面２３ａから入射した光源の光をその内部で乱反射させて発光面（ここでは、前面２３ｂ及び背面２３ｃ）の輝度分布を均一化するために、発光面に微細な凹凸が形成されている。なお、導光板２３の発光面からの出射光を拡散させるための処理としては、梨地加工、レーザーカット加工、あるいはダイヤモンドカットなどの手法を、要求される輝度や用途に応じて適宜に適用することができる。
【００１８】
図２に示すように、前面パネルの両側部の内面には、導光板２３のための凹状をなすガイド部材４１がそれぞれ固着されており、このガイド部材４１の前後方向中央部には、導光板２３の挿入方向に延在するガイド溝４１ａが設けられている。導光板２３は、その左右端部がガイド溝４１ａにガイドされて、前面パネル２１と背面パネル２２との間に挿入される。これにより、間隙Ｇａ及び間隙Ｇｂを安定的に確保しつつ、導光板２３を前面パネル２１と背面パネル２２との間に精度良く配置することが可能となる。
【００１９】
表示パネル２４は、その少なくとも前面に情報伝達用のシンボルが付された樹脂製の平板材からなる。情報伝達用のシンボルとしては、目的とする情報を伝達するための文字、図形、記号等が用いられる。例えば、表示灯１を非常時の誘導灯として用いる場合、図４に示すように、情報伝達用のシンボルとして非常口の誘導方向を示すシンボルマークを表示パネル２４に付すことができる。
【００２０】
図２に示すように、前面パネル２１の後面とガイド部材４１の前面との間には僅かな隙間が設けられており、表示パネル２４の左右端はその隙間に嵌入された状態にある。これにより、表示パネル２４を比較的薄いシートとして形成しても、その変形が防止され、また、表示パネル２４を前面パネル２１の裏面に密着させた状態で安定的に配置することができる。
【００２１】
ここで、図４（Ａ）,（Ｂ）は、それぞれ表示パネル２４の前面側及び背面側のシンボルマークを示している。このように、互いに左右対称に描かれた誘導方向を示すシンボルマークを表示パネル２４の前面および背面に付すことで、表示灯１における表示パネル２４を左右反転させるだけで、左または右への誘導方向を容易に変更することができるという利点がある。
【００２２】
なお、表示パネル２４に付されるシンボルは、情報伝達用のシンボルに限定されず、例えば、装飾用のシンボルでもよい。
【００２３】
蓄光板２５は、透明な樹脂メディウムに微粉末の蓄光材を混練した蓄光塗料を、透明な樹脂フィルムの表面側、背面側、あるいは両面に、スプレーによる吹き付け、あるいはシルクスクリーン印刷にて塗布したもの、あるいは、溶融樹脂材に蓄光材を混練して硬化させた薄板材などからなっている。
【００２４】
蓄光材としては、例えば、ディスプロシウム、ユーロピウムで賦活したアルミン酸ストロンチウム（根本特殊化学（株）製蓄光顔料；ＳＷ−３００シリーズ）と、ネオジム、ユーロピウムで賦活したアルミン酸ストロンチウム（根本特殊化学（株）製蓄光顔料；Ｖ−３００シリーズ）が挙げられる。
【００２５】
このような蓄光板２５を導光板２３の背面側の間隙Ｇｂに配置することにより、発光源が消灯した際の残光時間の長大化に大きく貢献することができる。
【００２６】
光源ユニット４は、図３に示すように、多数のＬＥＤ（light-emitting diode）チップ５１を適宜な等間隔をおいて直列に列設した細長い基板５２からなり、長寿命化を図るために放熱性を考慮し、例えばアルミニウム合金材の基板ホルダ（図示せず）に支持されている。図１に示すように、光源ユニット４の後端には、被係止爪６１が設けられており、この被係止爪６１が本体ケース２に設けられた係止孔６２によって係止されることで、光源ユニット４が本体ケース２に対して固定される。この光源ユニット４に用いるＬＥＤチップ５１及びその実装基板５２並びに電気的な結線に関しては、周知の技術を適用し得るので、ここでは詳細な説明は省略する。
【図面の簡単な説明】
【００２７】
【図１】本考案に係る表示灯の分解斜視図
【図２】図１の光源ユニットの平面図
【図３】図１光源ユニットの縦断面図
【図４】図１の表示パネルの平面及び背面図
【符号の説明】
【００２８】
１  表示灯
２  本体ケース
３  表示ユニット
４  光源ユニット
１１  点灯装置
２１  前面パネル
２２  背面パネル
２３  導光板
２４  表示パネル
２５  蓄光板
４１  ガイド部材
５１  ＬＥＤチップ
５２  基板
Ｇａ，Ｇｂ  間隙
【図１】
0003143094.tif 000003
【図２】
0003143094.tif 000004
【図３】
0003143094.tif 000005
【図４】
0003143094.tif 000006